(57)【要約】      （修正有）【課題】一般家庭や介護施設等において、身障者、高齢者等の要介護者が歩行時等に捕まって安定した姿勢を確保するために用いる縦型介護用ポール装置を提供する。【解決手段】床面Ｆに固定された床面固定具２０と天井面Ｃに固定された天井面固定具３０と床面と天井面の間に設けられたポール１とそのポール１を床面固定具と天井面固定具との間に突っ張らせて床面と天井面の間に固定する突張力付与機構とを有する縦型介護用ポール装置Ａである。天井面固定具は、天井面に宛がわれる長方形の基板３１と、その基板の長さ方向に移動・固定される同移動板３２とからなる。移動板に長孔が形成され、基板には長孔に対応するねじ孔が所要間隔で形成され、長孔からボルトを通して基板のねじ孔にねじ込んで基板に移動板を締結して基板の長さ方向の任意の位置で移動板を固定する。この基板と移動板の任意位置での取付板４２を介した移動・固定によって天井面との固定位置及び固定広さを適宜に決定できる。【選択図】図１
0003222861.tif 000002
【実用新案登録請求の範囲】
【請求項１】
床面（Ｆ）に固定された床面固定具（２０）と、天井面（Ｃ）に固定された天井面固定具（３０）と、前記床面（Ｆ）と天井面（Ｃ）との間に設けられたポール（１）と、そのポール（１）を前記床面固定具（２０）と天井面固定具（３０）との間に突っ張らせて床面（Ｆ）と天井面（Ｃ）の間に固定する突張力付与機構と、を有する、縦型介護用ポール装置（Ａ、Ａ１）であって、
上記天井面固定具（３０）が、天井面（Ｃ）に宛がわれる長方形の基板（３１）と、その基板（３１）の長さ方向に移動・固定される移動板（３２）と、その移動板（３２）に固定される取付板（４２）とからなり、
上記取付板（４２）は断面上向きコ字状部材からなり、そのコ字状部材（４２）の側片が上記移動板（３２）の溝（３６）に嵌められてその長さ方向に移動・固定可能に設けられ、そのコ字状部材（４２）の背片（４２ｂ）に上記ポール（１）の上端が固定されている縦型介護用ポール装置。
【請求項２】
上記移動板（３２）に上記長さ方向に長い長孔（３３）が形成され、上記基板（３１）には、前記長孔（３３）に対応するねじ孔（３４）が長さ方向全長に亘り所要間隔で形成されており、前記長孔（３３）からボルト（３５）を通して基板（３１）のねじ孔（３４）にねじ込んで基板（３１）に移動板（３２）を締結して基板（３１）の長さ方向の任意の位置で移動板（３２）を固定し得る請求項１に記載の縦型介護用ポール装置。
【請求項３】
上記ポール（１）の上端に取付コマ（４１）を固定し、その取付コマ（４１）を上記取付板（４２）にねじ止め（４５）して、前記取付板（４２）、移動板（３２）及び基板（３１）を介して天井面（Ｃ）にポール（１）の上端を固定した請求項１又は２に記載の縦型介護用ポール装置。
【考案の詳細な説明】
【技術分野】
【０００１】
この考案は、一般家庭や介護施設等において、身障者、高齢者等の要介護者が歩行時等に捕まって安定した姿勢を確保するために用いる縦型介護用ポール装置に関するものである。
【背景技術】
【０００２】
従来、足の弱った人が椅子、ベッドや便器等から立ち上がるのを補助する介護装置として、天井面と床面の間に立設する縦型介護用ポール装置が知られている。
この縦型介護用ポール装置として、出願人は、種々の提案をしている。例えば、床面に固定される床面用台座と、天井面に固定される天井面用台座と、前記両台座の間に設けられるポールと、前記ポールの下端を床面用台座に固定する床面固定具と、前記ポールの上端を天井面用台座に固定する天井面固定具と、を備え、前記床面固定具は突張力調整機構を有し、前記天井面固定具は弾性支持機構を有し、前記突張力調整機構及び弾性支持機構による床面と天井面への突っ張りによってポールを床面と天井面の間に固定し、前記床面用台座と床面との間、及び前記天井面用台座と天井面との間に、前記床面用台座又は天井面用台座に固定の床面用補強板又は天井面用補強板をそれぞれ設けた構成の縦型介護用ポール装置等である（特許文献１、２参照）。
【０００３】
この縦型介護用ポール装置は、突張力調整機構によってポールを床面と天井面の間に突っ張らせて固定すると共に、弾性支持機構によってその突っ張り力の補助及び緩和を図って、ポールを床面と天井面の間に固定する。
【先行技術文献】
【特許文献】
【０００４】
【特許文献１】実用新案登録第３２１８１７９号公報
【特許文献２】実用新案登録第３２１９４６９号公報
【考案の概要】
【考案が解決しようとする課題】
【０００５】
上記各縦型介護用ポール装置は、それなりに有効であるが、天井面には和天井のようにその強度が弱かったり、竿等の突条を有したりするものがある。このような天井面であると、ポールを床面と天井面の間に固定するための十分な突っ張り力を付与できす、ポールの取付けが不安定な場合が生じる。
さらに、今日、さらなるコストダウンの要望を受けている。
【０００６】
この考案は、以上の実情の下、天井面への固定強度を高めるとともに、コストダウンを図ることを課題とする。
【０００７】
この考案は、上記課題を達成するため、天井面への固定具の設置面積を大きく取り得るとともに、天井面の形状にできるだけ対応し得るようにしたのである。
天井面への固定具の設置面積が広くなれば、固定強度も増してポールの安定化につながる。また、天井面の形状に対応すれば、固定強度が増した状態で縦型介護用ポール装置の設置態様も多様化し得る。
【０００８】
この考案の具体的な構成としては、床面に固定された床面固定具と、天井面に固定された天井面固定具と、前記床面と天井面との間に設けられたポールと、そのポールを前記床面固定具と天井面固定具との間に突っ張らせて床面と天井面の間に固定する突張力付与機構と、を有する縦型介護用ポール装置において、前記天井面固定具が、天井面に宛がわれる長方形の基板と、その基板の長さ方向に移動・固定される移動板と、その移動板に固定される取付板とからなり、その取付板は断面上向きコ字状部材からなり、そのコ字状部材の側片が移動板の溝に嵌められてその長さ方向に移動・固定可能に設けられ、そのコ字状部材の背片にポールの上端が固定されている構成を採用する。
【０００９】
この構成において、床面と天井面との間でポールを突っ張らせて固定する突張力付与機構は、ジャッキ機構、ばね機構等の周知のものを採用でき、その取付位置は、ポールに介設する、あるいはポール上端又は下端と天井面又は床面との間に介設する等が考えられる。
【００１０】
この構成においては、突張力付与機構によって天井面と床面との間にポールが突っ張られて両面間に固定される際、天井面との間は、長方形の基板とその基板に移動・固定される移動板とからなる天井面固定具によって固定されることから、移動板のどの位置でも天井面固定具の天井面との接触面は一様（面一）であって、天井面固定具が天井面でガタツクことが極めて少ない。
【００１１】
このように、この天井面固定具は基板と移動板の任意位置での移動・固定によって天井面との固定位置及び固定広さ（長さ）を適宜に決定できて、天井面への固定補強となるため、例えば、和天井のようにその強度が弱かったり、竿等の突条を有したりした天井面であって、基板と移動板の任意位置での移動・固定をもってそれらの面形状に容易に対応できて、例えば、隣り合う竿等の突条間に渡らせることができたり、接触面積を多くしたりできて強度面も確保できる。このように、取付強度が十分になれば、突張力付与機構も一つで十分になってコストダウンを図ることができる。
【００１２】
以上の構成において、上記移動板に上記長さ方向に長い長孔が形成され、上記基板には、前記長孔に対応するねじ孔が長さ方向全長に亘り所要間隔で形成されており、前記長孔からボルトを通して基板のねじ孔にねじ込んで基板に移動板を締結して基板の長さ方向の任意の位置で移動板を固定し得るようにすることができる。
また、上記ポールの上端に取付コマを固定し、その取付コマを上記取付板にねじ止めして、取付板、移動板及び基板を介して天井面にポール上端を固定した構成とすることができる。
【考案の効果】
【００１３】
この考案は、以上のように構成して、天井面への固定具の設置面積を大きく取り得るとともに、天井面の形状にできるだけ対応し得るようにしたので、天井面への固定強度も増してポールの安定化につながる。また、天井面の形状に対応すれば、固定強度が増した状態で縦型介護用ポール装置の設置態様も多様化し得る。
【図面の簡単な説明】
【００１４】
【図１】この考案に係る介護用ポール装置の一実施形態の概略正面図
【図２】同実施形態の手摺りの回転部の斜視図
【図３】同回転部の要部分解斜視図
【図４】同実施形態の手摺りの支持部の分解斜視図
【図５】同実施形態の手摺りのキャッチャーの斜視図
【図６】図１の断面図を示し、（ａ）はＩ−Ｉ線、（ｂ）はＩＩ−ＩＩ線、（ｃ）はＩＩＩ−ＩＩＩ線
【図７】両実施形態の天井面固定具の基板の下面図
【図８】同天井面固定具の移動板の各例を示し、左図は下面図、右図は左図の右側面図
【図９】同天井面固定具のポール取付板を示し、（ａ）は平面図、（ｂ）は（ａ）のＩ−Ｉ線断面図、（ｃ）は同ＩＩ−ＩＩ線断面図
【図１０】（ａ）は同実施形態のポール取付用コマ、（ｂ）は同カバー
【図１１】この考案に係る介護用ポール装置の他の実施形態の概略正面図
【図１２】同実施形態のテーブルを示し、（ａ）は一例の切断正面図、（ｂ）は同下面図、（ｃ）は同下面図
【図１３】同実施形態の手摺りの支持部の分解斜視図
【図１４】同実施形態のキャッチャーの斜視図
【考案を実施するための形態】
【００１５】
この考案に係る縦型介護用ポール装置の一実施形態を図１乃至図１０に示し、この縦型介護用ポール装置Ａは、例えば、トイレの便器の両側や掃き出し窓、人の出入り口、物の出し入れ口等において、従来と同様に、床面Ｆと天井面Ｃの間に垂直（上下）に介設する。
その上下方向のポール１の下端に床面Ｆに固定する床面固定具２０、上端に天井面Ｃに固定する天井面固定具３０がそれぞれ設けられている。
【００１６】
ポール１は、中空の鋼管からなって上下の部材１ａ、１ｂに分かれている。その一方（上側）のポール部材１ａに対して他方（下側）のポール部材１ｂが大径となっており、他方のポール部材１ｂに一方のポール部材１ａが隙間無く（ピッタリ）嵌って出没自在となっている。この実施形態では、下側のポール部材１ｂにはポストジング鋼管にナイロンコーティングしたものを使用し、上側のポール部材１ａにはヘアライン加工のステンレス鋼管を使用した。このため、上側のポール部材１ａが下側のポール部材１ｂの端部内面に擦れても、その表面の質感は劣化しない。
【００１７】
両ポール部材１ａ、１ｂの長さは、両ポール部材の嵌り合い長さを考慮して設置する床面Ｆと天井面Ｃの間隔に応じて適宜に設定する。この両ポール部材１ａ、１ｂは接続締結金具（締結金具）１０によって適宜な伸縮長さ（出没長さ）で固定される。この点から、この接続締結金具１０も下記突張力付与機構による突張力付与の一助となる。
【００１８】
その接続締結金具１０は、図１に示すように、円筒状半割リング１１、１１の対からなり、その各リング１１の両側にはそれぞれフランジ１２、１２、１２、１２が設けられている（図２参照）。対向するフランジ１２には同一軸上の孔が形成されて、その一方がタッピングねじ孔となっている。半割リング１１は軸方向中程まで肉薄となって段差が形成されている。
このため、この対の円筒状となった半割リング１１、１１に他方（下側）のポール部材１ｂを嵌めると、その段差（図示せず）にポール部材１ｂの上端が係止して、その上端に接続締結金具１０が取付けられる。接続締結金具１０は、対向するフランジ１２の一方の孔にボルト１４を差し込んで同他方の孔にねじ込むことによって両リング１１、１１が締まって（縮径して）接続締結機能を発揮する（本願図２、特許文献１段落００１２、図３等参照）。
【００１９】
ポール１の長さ（床面固定具２０、天井面固定具３０の間隔）は、床面Ｆと天井面Ｃとの間隔より少し短い程度になるように、両ポール部材１ａ、１ｂをその軸方向に嵌め込んで接続締結金具１０で一体とする。この締結は、他方のポール部材１ｂに一方のポール部材１ａを嵌め込んで所要の長さにした後、その嵌め込み部に接続締結金具１０を嵌めて行ったり、他方のポール部材１ｂの上端にこの接続締結金具１０を落ちない程度に嵌め込み、その状態で、一方のポール部材１ａを他方のポール部材１ｂに嵌め込んで所要の長さにした後、その嵌め込み状態で接続締結金具１０のボルトをねじ込んで行ったりする（特許文献１段落００１３等参照）。
【００２０】
床面固定具２０は、木製集合板からなる台座２１とその台座２１に設けた突張力付与機構（図示せず）とからなる。この突張力付与機構の構成は、特許文献１段落００１４〜００１９、図４〜図８、特許文献２段落００１９〜００２５に示す公知のものを使用する。すなわち、その特許文献１、２の記載を参照して、その機構のジャッキコマを回転して回転防止コマを上昇させ、他方のポール部材１ｂを上方に持ち上げ、このポール部材１ｂの上昇につれて天井面固定具３０が天井面Ｃに強固に押し付けられてポール１が不動になる。
【００２１】
天井面固定具３０は、図１、図６〜図１０に示すこの考案の特徴点であり、天井面Ｃに宛がわれる長方形の基板３１と、その基板３１の長さ方向に移動・固定される左右対の移動板３２、３２と、その移動板３２、３２にそれぞれ固定可能な取付板４２、４２とからなって、伸縮型天井補強板を構成する。その移動板３２は両側縁に側片３２ａをビス止め３２ｃした断面上向きコ字状をして基板３１の下面から嵌ってその側面が基板３１の側面３１ａから上面（天井面Ｃ）に至って面一となるようになっている（図６参照）。基板３１、移動板３２の材質は任意であるが、この実施形態においては木製集合板とした。
【００２２】
移動板３２に上記長さ方向の中心軸両側に長孔３３が形成され、その周囲に座ぐり３３ａがなされている（図６（ａ）、図８参照）。基板３１には、前記長孔３３に対応するねじ孔３４が長さ方向全長に亘り所要間隔で形成されている。そのねじ孔３４は、孔にナット（オニナット）３４ａを埋設して形成している（図６（ａ）参照）。ねじ孔３４の数・間隔は下記の基板３１に対する移動板３２の長さ方向の調整ができる限りにおいて任意である。
図６（ａ）に示すように、移動板３２の長孔３３に頭付ボルト３５を通して基板３１のねじ孔３４（ナット３４ａ）にねじ込む（締結する）ことによって基板３１に移動板３２を固定し得る。このため、移動板３２は、長孔３３内の移動及び任意のねじ孔３４へのねじ込み選択によって基板３１の長さ方向のほぼ任意の位置に移動可能であるとともに固定可能である。
【００２３】
また、移動板３２の長孔３３の内側には下記取付板４２が嵌る溝３６が全長に亘って形成されている。この溝３６は、図８（ａ）に示す、取付板４２の全幅が嵌る幅の態様と、同図（ｂ）に示す、取付板４２の側片がそれぞれ嵌る二条からなる態様とが考えられる。この溝３６への取付板４２の嵌めこみによって取付板４２の移動板３２への取付けが安定する。図６各図は図８（a）に示す移動板３２の態様である。
【００２４】
移動板３２のほぼ中央には、ポール１（ポール部材１ａ）の上端が固定される。ポール部材１ａの上端には図１０（ａ）に示す取付用コマ４１が固定されている。このコマ４１は、ポール１（ポール部材１ａ）に、溶接aによったり、特許文献１段落００２３第４〜６行に記載の無垢棒とビス止めによったりする。このコマ４１と取付板４２によってポール１（ポール部材１ａ）の上端を移動板３２に固定する。図１０（ａ）の４１ａはビス孔である。
【００２５】
取付板４２は、図６、図９に示すように、ナイロンコーティングの上向きコ字状のステンレス板（チャンネル鋼板）からなり、長さ方向の中央に対の透孔４３、４３、その左右に前記透孔４３より少し小径の透孔４４が形成されている。前者の透孔４３は、コマ４１の孔に対応して形成し、後者の透孔４４は取付板４２の移動板３２への取付強度を考慮してその数・間隔を適宜に設定する。両透孔４３、４４は表面（図９（ａ）上下面）にそれぞれ座ぐりが施されている。このため、各透孔４３、４４に皿ねじ４５、４６をねじ込んでも皿状頭部は取付板４２表面に対して埋没又は面一となる（図６（ｂ）、同（ｃ）参照）。
【００２６】
これらのコマ４１、取付板４２によるポール１の天井面Ｃへの取付は、まず、図６（ｂ）に示すように、ポール１にコマ４１を固定した後、取付板４２に宛がい、その取付板４２の上面から皿ねじ４５を上記透孔４３からコマ４１にねじ込んで取付板４２に固定する。即ち、ポール１に取付板４２が固定される。
このポール１に取り付けた取付板４２は、図６（ｃ）に示すように、上記透孔４４から皿ねじ４６を移動板３２にねじ込んで固定する。このねじ込み固定位置は、天井面Ｃへの天井面固定具３０の固定位置やポール１の設置位置を考慮して適宜に設定する。
この固定によって、コマ４１、取付板４２、移動板３２がポール１の上端に固定される（取り付けられる）。この固定部分には図１０（ｂ）に示すカバー４７を取り付ける。カバー４７はその対向するフランジ４７ａをボルト止め４７ｂすることによってポール部材１ａに固定する。
【００２７】
この床面固定具２０及び天井面固定具３０を設けたポール１は、まず、上下の床面固定具２０と天井面固定具３０との間隔（ポール１の自然長）が床面Ｆと天井面Ｃの間隔の少し短い長さとして、このポール１を床面Ｆと天井面Ｃの間に位置させる。
その状態で、突張力付与機構によってポール１を天井面Ｃと床面Ｆに突っ張らせて固定する（詳細は、特許文献１段落００２６〜００２７、特許文献２段落００３３〜００３５等参照）。
【００２８】
この実施形態の縦型介護用ポール装置Ａは、上記の作用によって、天井面Ｃと床面Ｆとの間に２本のポール１を並列させたものである。そのポール１、１の間隔は設置場所に応じて適宜に設定し、その間隔に応じて、基板３１と移動板３２とからなる天井面固定具３０の長さ（図１左右方向）も対応させる。すなわち、天井面Ｃへの固定が安定するように、基板３１と両移動板３２、３２の嵌り合い長さを調整し、移動板３２の長孔３３に頭付ボルト３５を通して基板３１の適宜なねじ孔３４にねじ込む（締結する）ことによって基板３１に移動板３２を固定して、所要長さの天井面固定具３０とする。
【００２９】
この２本のポール１、１にはその両者間に亘る手摺り４８を設けている。この手摺り４８はその一端を一方のポール１（図１右側）に起伏（回動）自在に支持する回転部５０を有し、横方向に延びた手摺り４８を支持する支持部６０を他方のポール１に備え、一方のポール１には起立してポール１に沿わせた手摺り４８を着脱自在に支持するキャッチャー７０を備える。
【００３０】
回転部５０は、図２、図３に示すように、逆コ字状の金属製取付板５１と、手摺り４８の端に固定の円柱状回転駒５２と、その回転駒５２の両側に宛がわれるワッシャー５３と、回転軸５４と、その回転軸５４の両端にねじ込み固定されるナット５５とから成る。取付板５１は少なくともワッシャー５３に接する面には樹脂コーティングが施されている。ナット５５はハードロック（ハードロック工業株式会社の登録商標）ナットを使用する。回転駒５２及びワッシャー５３は強靱な樹脂からなる。その樹脂は、耐摩耗性を有して所要の硬度及び摺動抵抗を持った、例えば、６ナイロンと呼ばれるポリアミド樹脂等であり、この実施形態においては、ＭＣナイロン（クオドラントポリペンコジャパン株式会社の商標登録、一般名称：モノマーキャストナイロンというエンジニアリングプラスチック）を採用した。取付板５１の樹脂コーティングもＭＣナイロンとすることができる。
【００３１】
この回転部５０は、図３に示す、各部品５１、５２、５３、５４、５５において、図２に示すように、取付板５１にワッシャー５３を介在して回転駒５２を嵌め込み、回転軸５４を取付板５１の一方の立片５１ａ、ワッシャー５３、回転駒５２、ワッシャー５３、取付板５１の他方の立片５１ｂに貫通し、その回転軸５４の両端にナット５５をねじ込む。このねじ込みによって、取付板５１に回転駒５２を介して手摺り４８が回動（揺動）可能に取付けられる。
回転部５０は、上記接続締結金具１０と同様の締結金具によってポール１に取り付けられる。すなわち、その締結金具１０のリング１１に付設した取付板１１ｂに取付板５１の背片５１ｃをビス止めすることによって締結して取り付けられる。
【００３２】
上記ナット５５の締め付けトルクは、手摺り４８が取付板５１に対して所要の圧接力を持って固定されるが、回転駒５２とワッシャー５３が樹脂からなって滑性を有するため、手摺り４８は所要の抵抗力を持って回転軸５４を軸として上下方向に回動（揺動）可能となり、手で動かさない限り、その回動が行われない。即ち、手摺り４８が回動途中で不意に下方に動くことがない。ワッシャー５３の硬度や厚みは、その不意の回動がないように実験などによって適宜に設定する。
この回転部５０には適宜にカバー５８を被せたり、手摺り４８端部と取付板５１との間にその隙間を埋める指詰め防止用部材を介在したりすることができる。
【００３３】
支持部６０は、図４に示すように、ポール１に固定される一方の部材６１と、手摺り４８の端部が嵌る有底円筒体の他方の部材６７とからなる。両部材６１、６７は金属や硬質樹脂等の機械的強度を有するものとする。
一方の部材６１は、筒状体６２の一の端面に取付板６３を有し、この取付板６３でもって上記接続締結金具１０と同様のポール１に締結された締結金具によりポール１に取り付けられる。その締結金具の取付板１１ｂと取付板６３との締結は、重ねた両取付板１１ｂ、６３の取付孔６３ａを介してボルト締めやボルト・ナット締めによって行う。筒状体６２は一側面から他側面に向かって半径方向の長方形溝６２ａが形成され、その奥に爪材６４が溝６２ａに直交方向の摺動溝を介して横方向（側面方向）に出没自在に設けられている。この爪材６４は、図示しないばねによって突出方向に付勢されているとともに、抜け出ない程度に突出する（詳細は、特許文献１段落００３１、図１２等参照）。
【００３４】
他方の部材６７は、有底円筒体６８とその底壁表面から突出した連結片６９とからなる。その連結片６９の両側面に溝６９ａが形成されており、この連結片６９を一方の部材６１の溝６２ａに上方から（図４において上方から下方に）嵌め込むと、爪材６４がばねに抗して後退し、やがてばねによりその三角状部が前記溝６９ａに嵌って、両部材６１、６７の抜け出しを防止（抜け止め）する。爪材６４の頭部６４ｂを押して三角状部を溝６９ａから退去させれば、両部材６１、６７は切り離すことができる。
この他方の部材６７の円筒体６８に手摺り４８の端部を嵌め込み、円筒体６８の底壁の孔からビスをねじ込んでこの支持部６０に手摺り４８の一端部を固定する（詳細は、特許文献１段落００３２、図１２等参照）。
【００３５】
キャッチャー７０は、図５に示すように、基部７１の支持片７３、７３からそれぞれ突出する対の円弧状片７４ａ、７４ａを有する二股状であって、その対の円弧状片７４ａは、外側に突出する円弧が対向する構成となっている。このため、その円弧状片７４ａの対向先端が向き合う間隙７５から、図５矢印で示すように、手摺り４８を嵌めて（同図実線から鎖線状態）対の円弧状片７４ａでその手摺り４８を円弧状に把持して支持する。
この円弧状片７４ａの大きさ（曲率）は、手摺り４８の太さに対応して適宜に設定する。基部７１の円筒体の大きさ（内径）もポール１の太さに応じて適宜に設定する。
【００３６】
この実施形態の縦型介護用ポール装置Ａは以上の構成であり、図１鎖線の状態から、実線で示す状態に手摺り４８を下ろして（同図反矢印方向）支持部６０に嵌め込み支持し、手摺り４８を水平にして使用する。この手摺り４８を下ろす際、手摺り４８は所要の抵抗力を持って上下方向に回動（揺動）可能となっているため、手で動かさない限り、その回動が行われない。即ち、手摺り４８が回動途中で不意に下方に動くことはない。また、水平状態の手摺り４８は、支持部６０に支持されて下方への揺動が阻止され、その支持部６０と回転部５０との２点で支持されるため、その水平状態は横揺れなく安定する。
【００３７】
この水平状態において、手摺り４８が邪魔になるなどの場合、同図鎖線で示すように、手摺り４８を立ち上げて（同図矢印方向）その上端をキャッチャー７０に支持する。その手摺り４８の立ち上げ時、回転駒５２とワッシャー５３との圧接力（抵抗力）を持った回動（立ち上げ）となるため、手摺り４８は妾動することなく、円滑に動く。このとき、何らかの事情により、手摺り４８から手を離したり、よろけたりして、手摺り４８への支持力がなくなっても、ナット５５による締結トルクによって、回転駒５２とワッシャー５３とは圧接力（抵抗力）を持っているため、手摺り４８は不意に動くこともなく、安心である。
【００３８】
他の実施形態を図１１〜図１４に示し、この実施形態の縦型介護用ポール装置Ａ１は、手摺りの態様を変えたものであり、その手摺り構造は、ポール１にその横方向に延びるように取り付けた手摺り１４０と、その手摺り１４０をポール１に対して起伏自在とする回転部５０と、横方向に延びた手摺り１４０を支持する支持部１６０と、起立してポール１に沿わせた手摺り１４０を着脱自在に支持するキャッチャー１７０とから成る。回転部５０等は上記実施形態と同じ構成であり、その作用も同じであるから、その説明は省略し、異なる部分（手摺り１４０、支持部１６０、キャッチャー１７０）についてのみ説明する。
【００３９】
手摺り１４０は、上下２本の杆１４１ａ、１４１ｂと、その両杆１４１ａ、１４１ｂのそれぞれの一端から連続したＵ字状杆１４１ｃとからなり、その各杆１４１ａ、１４１ｂ、１４１ｃは鋼管パイプ等の一本の中空管からなって、全表面に樹脂コーティングが施されている。
手摺り１４０の上側杆１４１ａには図１２に示すテーブル（カウンター）１４２が設けられている。このテーブル１４２は、同図（ｂ）の平面視、鼓（つづみ）形状、同図（ｃ）の平面視、長方形形状等を適宜に採用し、下面の嵌め込み孔（溝）１４３に上側杆１４１ａを嵌めてＵ字状金具１４４を介してビス止めする。
【００４０】
支持部１６０を図１３に示し、この支持部１６０は、一部切り欠いた円弧状のキャッチャー１６１からなり、そのキャッチャー１６１に下方から下側杆１４１ｂの嵌合部１４５が嵌る。この嵌り合いは、キャッチャー１６１の両側の円弧状片１６１ａ、１６１ａを押し広げて嵌合部１４５が入ってキャッチャー１６１に支持される。キャッチャー１６１はＡＢＳ樹脂（アクリロニトリル−ブタジエン−スチレン共重合合成樹脂）等を使用する。
【００４１】
上記回転部５０と支持部１６０は、上記接続締結金具１０と同様の締結金具によってポール１に取付られる。その締結金具１０は、同様に、対の円環状半割リング１１、１１とその半割リング１１から横方向に突出した取付板１１ｂとからなって、対の半割リング１１、１１をポール１に挟んでボルト・ナット締めすることによってポール１に固定する（詳細は、特許文献１段落００３１〜同００３２、図９、図１０参照）。
この締結金具１０の取付板１１ｂに回転部５０と支持部１６０の取付板をビス止めすることによって回転部５０と支持部１６０は、上記接続締結金具１０と同様の締結金具１０によってポール１に取付られる。図１３に示す支持部１６０は、キャッチャー１６１の孔１６１ｂを介して締結金具１０の取付板１１ｂに締結される。
【００４２】
上記手摺り１４０の上方のポール１（１ｂ）にキャッチャー１７０が取り付けられ、このキャッチャー１７０は、図１４に示すように、ゴム製の材料からなり、ポール１に嵌る一つ割りの円環部１７１と、その円環部１７１の一つ割りの反対側面から横方向に延びる把持片１７２とから成る。円環部１７１は、広げてポール１に嵌めたり、上方からポール１に嵌めたりしてビス１７３でもって締結することによってポール１に固定される。把持片１７２の下面にほぼ四角状の嵌合孔１７４が形成されており、この嵌合孔１７４にテーブル１４２の一端部が嵌る。このため、キャッチャー１７０と回転部５０との距離は、テーブル１４２が起立されてポール１に沿った際、その上部がキャッチャー１７０の嵌合孔１７４に嵌って容易に外れないように、実験などによって適宜に設定する。
【００４３】
この実施形態の縦型介護用ポール装置Ａ１は以上の通りであり、図１１実線で示すように、手摺り１４０を水平にして使用する。このとき、手摺り１４０は、その下側杆１４１ｂがキャッチャー１６１に支持されて下方への揺動が阻止され、そのキャッチャー１６１からなる支持部１６０と回転部５０との上下２点で支持されるため、その水平状態は横揺れなく安定する。
【００４４】
この水平状態において、手摺り１４０が邪魔になるなどの場合、同図鎖線で示すように、手摺り１４０を立ち上げてそのテーブル１４２をキャッチャー１７０に支持する。その手摺り１４０の立ち上げ時、同様に、回転駒５２とワッシャー５３との圧接力（抵抗力）を持った回動（立ち上げ）となるため、手摺り１４０は妾動することなく、円滑に動く。このとき、何らかの事情により、手摺り１４０から手を離したり、よろけたりして、手摺り１４０への支持力がなくなっても、ナット５５による締結トルクによって、回転駒５２とワッシャー５３とは圧接力（抵抗力）を持っているため、手摺り１４０は不意に動くこともなく、安心である。
【００４５】
使用時には、その鎖線の状態から、実線で示す状態に手摺り１４０を下ろして支持部１６０に嵌め込み支持する。
この作用において、手摺り１４０は所要の抵抗力を持って上下方向に回動（揺動）可能となっているため、手で動かさない限り、その回動が行われない。即ち、手摺り１４０が回動途中で不意に下方に動くことはない。
【００４６】
この考案は、天井面Ｃへのポール１の上端の固定構造が特徴であって、接続締結金具１０、床面固定具（突張力付与機構）２０、天井面固定具（弾性支持機構）３０等の他の構成は、上記の態様に限定されるものではなく、例えば、床面固定具２０は突張力付与機構を省略したり等することができる。
また、上記実施形態の回転部５０において、ワッシャー５３が樹脂からなって回転時の滑性を有するため、そのワッシャー５３が摺接する回転駒５２や取付板５１は必ずしも樹脂コーティングする必要はない。
上記実施形態は２本のポール１を有する物であったが、特許文献１図１に示す、ポール１が１本の縦型介護用ポール装置や、３本以上のポール１を有する縦型介護用ポール装置にこの考案を採用できることは勿論である。ポール１が１本の縦型介護用ポール装置の場合、移動板３２は一枚とすることができる。
また、上記両実施形態は、床面固定具２０内の突張力付与機構によってポール１を床面Ｆと天井面Ｃに突っ張らせて固定したが、特許文献１に示すように、基板３１、移動板３２とポール１（コマ４１）との間に弾性支持機構を設けたものとすることができる（特許文献１段落００２０〜００２５、図９〜図１０Ｄ等参照）。
このように、今回開示された実施の形態はすべての点で例示であって制限的なものではないと考えられるべきである。この考案の範囲は、実用新案登録請求の範囲によって示され、実用新案登録請求の範囲と均等の意味および範囲内でのすべての変更が含まれることが意図される。
【符号の説明】
【００４７】
Ａ、Ａ１  縦型介護用ポール装置
Ｃ  天井面
Ｆ  床面
１  ポール
１ａ  一方（上側）のポール部材
１ｂ  他方（下側）のポール部材
１０  ポール部材の接続締結金具（締結金具）
２０  床面固定具
２１  床面用台座
３０  天井面固定具
３１  天井面固定具の基板
３２  同移動板
３２ａ  同移動板の側片（側板）
３３  長孔
４１  コマ
４２  取付板
４３、４４  透孔
４５、４６  皿ねじ
【図１】
0003222861.tif 000003
【図２】
0003222861.tif 000004
【図３】
0003222861.tif 000005
【図４】
0003222861.tif 000006
【図５】
0003222861.tif 000007
【図６】
0003222861.tif 000008
【図７】
0003222861.tif 000009
【図８】
0003222861.tif 000010
【図９】
0003222861.tif 000011
【図１０】
0003222861.tif 000012
【図１１】
0003222861.tif 000013
【図１２】
0003222861.tif 000014
【図１３】
0003222861.tif 000015
【図１４】
0003222861.tif 000016